(57)【要約】【課題】  ゴルフ用クラブの展示用支持装置であって連結部材に複数のフック部材を取り付けてなるものに於いて、従来は客が展示装置からゴルフクラブを取り出し、手に取ったり、素振りしたりする際、右利きのお客にとって取り扱い易い右利き用の展示装置となっていた。本願では左利きのお客にとっても、取り扱い易い左利き用の展示装置を提案しつつ、それを一つの部材、部品で作ることを課題とした。【解決手段】  上下の構造を同型状にすることによって、連結部材への取り付け方を上下、逆にすることによって、左利き用、右利き用を切り換えられるものにした。【選択図】図１
2008080080.tif 000002
【特許請求の範囲】
【請求項１】
ゴルフ用クラブの展示用支持装置に於いて、フック部材と該フック部材を複数個連結する結合部材とで展示する該展示用支持装置であって、該フック部材の上下を反対にして該連結部材に連結することによって、左利き用と右利き用を変換させる構成にしたことを特徴とする展示用支持装置
【請求項２】
前記フック部材は、前記ゴルフ用クラブのヘッドを懸架する部分と、該ゴルフ用クラブのシャフトを係止する部分と、前記連結部材と連結する案内部とより構成され、該ヘッドを懸架する部分の一部を、該シャフトを係止する部分と兼用するように構成したことを特徴とする特許請求の範囲第一項に示した展示用支持装置
【請求項３】
前記連結部材の連結バーが展示正面に向かって、斜めに下り、該連結バーに連結した前記複数のフック部材が展示正面から奥に行くに従って、高くなるように連結する前記展示用支持装置に於いて、該連結部材に該フック部材が連結固定できるように、該連結部材に規制部分を設けたことを特徴とする特許請求の範囲第一項に示した展示用支持装置
【請求項４】
前記連結部材の連結バーが展示正面に向かって、斜めに下り、該連結バーに連結した前記複数のフック部材が展示正面から奥に行くに従って、高くなるように連結する前記展示用支持装置に於いて、該フック部材の案内部に凹部、該連結バーに凸部を設け、該凹部と該凸部がかみ合うことによって該連結部材に、該フック部材が連結固定できるようにしたことを特徴とする特許請求項の範囲第一項に示した展示用支持装置
【発明の詳細な説明】
【技術分野】
【０００１】  ゴルフ用品等のスポーツ用品の展示・陳列用品に関する
【背景技術】
【０００２】  ゴルフ用クラブの陳列用の支持装置としては、本出願人は先に「特開２００４−３６０６９」に於いて、クラブヘッドをフックするフック部材をクラブヘッドを凸部とし、フック部材を凹部とし、凸部と凹部がかみ合うように作り、このフック部材を複数個連結する連結部材との組み合わせによってコンパクトに展示用支持装置を仕上げ、展示物であるゴルフ用クラブを目立つように展示し、なおかつ客が取り扱い易く、店員が保守管理をやりやすい展示用支持装置を提案した。【０００３】  この後も、展示用支持装置に展示されたゴルフクラブを、客が手に取って素振りしたり、自分との適合性を調べるに当って、展示装置から外し易く、かつ、戻し易くする為に展示用支持装置を正面から取り外しできる展示装置「特願２００６−３７１７３」を提案した。
【特許文献１】特開２００４−１３６０６９
【特許文献２】特願２００６−３７１７３
【発明の開示】
【発明が解決しようとする課題】
【０００４】  これまで本出願人が提案してきた展示用支持装置は、基本的には右利き用の客を対象として考えたものである。ところで日本人の９０％は右利きであり、左利きの人は１割と言われているが、アメリカ人では２５％、ヨーロッパ人は３５％が左利きと言われている。左利きの人は世界の市場を考えたとき、少数ではなく、日本に於いても１割もの人が左利きである。【０００５】  図８は、展示用支持装置の正面から正面方向に取り外しできるタイプの展示用支持装置であり、特願２００６−３７１７３に示した展示用支持装置であるが、この場合も右手で取り外すと取り外しが楽であるが、左手で取り外すためには身体を右側にずらせたり、左手を身体の前で交差させて取り外ししなければならない。【０００６】  図８で見たとき、フック部材（２）は、ゴルフクラブ（８）を懸架する案内部（４）と、連結部材であるフラットバー（６）に連結する案内部（７）等で構成され、その案内部（４）は、案内部（７）の右側に配置されている。そのためこの展示用支持装置を正面からみたときには、そのままの位置では、右利きの人が取り外しがし易い。そこで左利きの人が右利きの人と同様に、自然に違和感なく取り外しできる展示用支持装置とするためには、この連結部材（６）と連結する案内部（７）の左側にゴルフクラブの懸架用の案内部があるような構造のフック部材を作る必要がある。【０００７】  ところが、工業製品を製造し、それを利用する時には、どのような場合もそうだが、同一種類の物を多量に作れば、量産によるコスト削減効果を期待することができる。しかし、右利きの客用の展示用支持装置に加え左利き用のものを別個に作ることになれば、製造過程では型代金が今までの倍以上かかり、かつそれを店舗展示する店の側では、それぞれのものを、在庫管理することが必要となる。【０００８】  つまり、客の利便性を考え、右利き用に加え、左利き用の展示用支持装置を別個な形で作ると加工コストや在庫管理コストなど、コスト高となる。またゴルフクラブはウッド、アイアン、パターの少なくとも３種類があり、各々のクラブを展示支持できるものを作ると３種類の展示装置が必要である。それぞれに右利き、左利きのものを作れば、６種類の展示用支持装置が必要となり、その在庫管理自体がかなり煩わしいものとなった。
【課題を解決するための手段】
【０００９】  そこで本願では、上述した問題を解決するためにゴルフクラブの展示用支持装置としてはウッド、アイアン、パターの３種類を作ることにし、それぞれ右利き、左利き用として両用して使える仕様・構造とした。【００１０】  そのために、フック部材の構造を考え、上下同型に作り、連結部材と連結するに当って、上下を反対にすれば、右利きと左利き用に切り替えられるように構成した。
【発明の効果】
【００１１】  本願では、ゴルフクラブ用の展示用支持装置に於いて、日本人には少ない左利きの客に対しても取り扱いやすい展示用支持装置を提供し、どの客も素振りしたり、ゴルフクラブを気軽に手に取ることができるようにし、販売促進が図れるようにした。【００１２】  また、この左利き用、右利き用の展示用支持装置をフック部材の連結部材への取り付け方を上下反対にすることで、切り替えられるようにし、左利き用、右利き用のために別部材、部品を用意する必要をなくした。このため、部材、部品を作るに当って型代や量産によるコスト減を計ることができ、また、店舗にとってはいくつもの部品を購入し、保管しなければならないという店舗維持、保管の上でのコスト減と手間・暇の削減を計ることができた。【００１３】  アメリカでは、左利きの人が２５％、ヨーロッパでは３５％という。これらの国では左利きの客用に展示コーナーをつくることは、客に配慮した店舗作りの上で必要不可欠となる。こうした潜在的な需要を考えたとき、左利き用、右利き用、両用の展示用支持装置をひとつの部材、部品で作ることができるのは、世界市場を考えたより大きな量産効果をもたらすことになった。【００１４】  展示物を手に持ち、客が直接触れたり、重さを確かめたり、使い勝手を試すのはインターネットやテレビによって、商品広告が広く行われる中で店舗のもつ大きな役割になりつつある。そうした時に、左利き、右利きを考え、客が取り扱いやすく、なおかつコストの上でも負荷がかからない本方式はゴルフクラブの展示用支持装置だけでなく、その他の商品の展示用支持装置にも効果を発揮する。
【発明を実施するための最良の形態】
【００１５】  図１は、本発明によるゴルフ用クラブの展示用支持装置の一実施例であって、ウッドクラブ用の展示用支持装置のフック部材である。図１（ａ）及び図１（ｃ）は、その正面図であり、図１（ｂ）は正面斜め上方から見た外観図である。【００１６】  （１２）はフック部材、（１４）は連結バーの一つであるフラットバーを挿入する案内部、（１６）、（１８）はウッドクラブのヘッド（凸部）を受ける凹部、（２０）と（２２）はウッドクラブのシャフトを収納する案内部、（２４）はシャフト挿入部、（２６）は中心線である。【００１７】  このフック部材（１２）は特願２００６−３７１７３などに示したこれまでの展示用支持装置のフラットバーに（例えば図８）、案内部（１４）を挿入し、展示用支持装置とする。図１（ａ）の正面図で見た時、中心線（２６）に対して上下対象形となり、ヘッドを受ける凹部（１６）、（１８）やシャフトを収納する案内部（２０）、（２２）を含め、中心線（２６）に対し、立体構造としても上下同型となっている。【００１８】  このため、フラットバー（図示せず）に案内部（１４）を挿入し、図１（ｂ）のように展示用支持装置を作ったときには案内部（１４）の右側にシャフト挿入部（２４）が来るため、右利きの客を対象とした展示用支持装置となり、このフック部材（１２）の上下を反対にし、フラットバー（図示せず）に案内部（１４）を挿入し、図１（ｃ）のように展示用指示装置を作ったときには、案内部（１４）の左側にシャフト挿入部（２４）が配置されるため、左利きの客を対象とした展示用指示装置となる。【００１９】  図２、図３は本発明によるゴルフ用クラブの展示用支持装置の一実施例であって、パタークラブ用の展示用支持装置のフック部材である。図２はこのフック部材の三角法による設計図面の一実施例であり、図３はその外観図である。【００２０】  図２、図３に於いて（２８）は中心線、（３０）はフック部材、（３２）はフラットバー（図示せず）を挿入する案内部、（３４）、（３６）はパターシャフトを挿入する案内部、（３８）、（４０）はシャフトの挿入部である。
図２でも分るように、中心線（２８）に対し、上下それぞれ長さｌの寸法になっていて、図面上も分かるように、この中心線（２８）を境に、上下同型となっている。【００２１】  図３（ａ）では、フラットバー（図示せず）を挿入する案内部（３２）の右側に、シャフト挿入部（３８）があり、右利きの客を対象とした展示用支持装置となっている。図４（ｂ）では案内部（３２）の左側に、シャフトの挿入部（４０）、（３８）があり、左利きの客を対象とした展示用支持装置となっている。【００２２】  図４は、本発明によるゴルフ用クラブの展示用支持装置の一実施例であり、アイアンクラブ用のフック部材であり、図４（ａ）はその正面図、図４（ｂ）はその外観図。図５は、図４のフック部材をフラットバーに挿入した外観図で、図５（ａ）は右利き用、図５（ｂ）は左利き用に設定した展示用支持装置で、図５（ｃ）はその側面図である。【００２３】  図４及び図５で、（４２）はフック部材、（４３）はフラットバー、（４４）はフラットバー（４３）を挿入する案内部、（４６）、（４８）はクラブのシャフトを挿入する案内部、（４９）、（５１）はシャフトの挿入部、（５０）、（５２）はアイアンクラブヘッドを静置する凹部、（５４）はフック部材（４２）をフラットバー（４３）に固定するためのスペーサーである。（５３）は上下の中心線である。【００２４】  形状の上では、これまでのウッドクラブやパター用の展示層支持装置と変わらないが、アイアンクラブの場合、６〜１０数本がワンセットであるため、ここでは、形の変わったアイアンクラブも、同じように静置できるような凹部（５０）をもつフック部材としている。また、フラットバー一つに少なくともワンセット分のフック部材を連結するため、そこに懸架したアイアンクラブがそれぞれ見え易いように客が見る側に向かって、つまりフラットバーの先端部に行くに従ってフラットバーが下がるように取り付けている。【００２５】  図５は、そこでフラットバーを仰角１２°分を下げるようにした時、図４で見るそのままの上下方向でフック部材（４２）をこのフラットバー（４３）に取り付けたのが図５（ａ）の外観図である。フラットバー（４３）と連結する案内部（４４）の右側にゴルフクラブのシャフト（図示せず）が収まるための案内部（４６）、（４８）と挿入部（４９）、（５１）が配置されるため、右利きの客に対応した展示用支持装置となっている。【００２６】  図５（ｂ）はこのフック部材（４４）の上下を反対にし、フラットバー（４３）に取り付けたもので、フラットバー（４３）と連結する案内部（４４）の左側に、ゴルフクラブのシャフトの案内部（４８）、（４６）と挿入部（５）が配置されるため、これは左利きの客に対応した展示用支持装置となっている。【００２７】  ウッドクラブやパター用の展示用支持装置は、連結部材であるフラットバーに取り付けるフック部材は、せいぜい数個であるため、客が見たとき、懸架されたゴルフクラブが見えるため、フラットバーは、床面に対し水平に取り付けられていた。ところがアイアンクラブ用のフラットバーはこのように床面に対し一定角度を持つようにしているため、図５のようにこのフラットバー（４３）と連結するためには、フッ��部材（４２）の連結用の案内部（４４）の穴は、奥に向かって、仰角分の２倍の角度分広がるようにしている。【００２８】  図５（ｃ）は、図４に示したフック部材（４４）の側面図で、連結用の案内部（４４）は、図のように奥に向かって１２°×２＝２４°分広がる形になっていて、フラットバー（４３）に挿入した時、フック部材（４４）をフラットバー（４３）に固定するために別個に作ったスペーサー（５４）をこの案内部（４４）の空隙部（５６）に入れるようにしている。【００２９】  図６、図７は、図５のようなスペーサーを使わないで、フラットバーとフック部材との連結を用いるようにした別の実施例である。（５８）は水平バー、（６０）、（６２）は結合治具、（６４）は床面に対し、水平方向を保つフラットバー、（６６）は先端部が下がっているフラットバーで略三角形の突起部（６８）をつくっている。【００３０】  一方で、フック部材は図４を基本にしながらフラットバーとの連結用の案内部は、図７の（７０）のような入口形状と（７２）のような凹部状の内部形状を持つようにし、フラットバーの突起である凸部（６８）にそって、この凸部（６８）と凹部（７２）を噛み合わせ、フック部材（４２）を固定できるようにした。【００３１】  以上本願では、連結用のフラットバーとそれに複数個のフック部材を連結し、そのフック部材にゴルフ用クラブを懸架するゴルフクラブの展示用支持装置に於いて、右利きだけでなく、左利きの客に対しても、懸架したゴルフクラブを取り出しかつ戻し易い展示用支持装置を考え、かつそれらの展示用支持装置が一つのフック部材によって両用できるものを作れるようにした。また、ここではゴルフクラブを例にとったが、本願は、ゴルフクラブ用の展示用支持装置に限られず、例えばその他のスポーツ用品の展示用支持装置としても応用できる。その意味で本願の具体的実施例で示したものはあくまで一実施例であり、本願は請求項で請求したその他の実施例も包含するものである。
【図面の簡単な説明】
【００３２】
【図１】は本願によるウッドクラブ用の展示用支持装置で図１（ａ）及び図１（ｃ）は、その正面図、図１（ｂ）は外観図である。
【図２】は、本発明によるパタークラブ用の展示用支持装置でその三角法による設計図
【図３】は、図２に示した展示用支持装置の外観図で、図３］ａ）は右利き、図３（ｂ）は左利き用に配置した図
【図４】は、本発明によるアイアンクラブ用の展示用支持装置で、図４（ａ）はその正面図、図４（ｂ）は、その外観図である。
【図５】は、図４に示した展示用支持装置を連結部材に取り付けた時の図で、図５（ａ）及び図５（ｂ）は外観図、図５（ｃ）は側面図
【図６】は、本発明による展示用支持装置で、アイアンクラブ用の連結部材の外観図
【図７】は、図６の連結部材に連結するフック部材の案内部の形状図
【図８】は、ウッドクラブ用の右利きの単機能付加展示用支持装置
【図９】は、本発明による展示用支持装置にウッドクラブを懸架した時の外観図
【図１０】は、本発明による展示用支持装置にアイアンクラブを懸架した時の外観図
【図１１】は、本発明による展示用支持装置にパタークラブを懸架した時の外観図
【図１】
2008080080.tif 000003
【図２】
2008080080.tif 000004
【図３】
2008080080.tif 000005
【図４】
2008080080.tif 000006
【図５】
2008080080.tif 000007
【図６】
2008080080.tif 000008
【図７】
2008080080.tif 000009
【図８】
2008080080.tif 000010
【図９】
2008080080.tif 000011
【図１０】
2008080080.tif 000012
【図１１】
2008080080.tif 000013